【手続補正書】
【提出日】平成22年3月31日(2010.3.31)
【手続補正１】
【補正対象書類名】特許請求の範囲
【補正対象項目名】全文
【補正方法】変更
【補正の内容】
【特許請求の範囲】
【請求項１】
複数の録画装置から当該録画装置の録画予約情報及び記録媒体の空き情報を受信する受信部と、
録画予約する番組を決定する決定部と、
上記複数の録画装置から受信した録画予約情報及び記録媒体の空き情報に基づいて１台の録画装置を選択し、選択された録画装置に対して上記録画予約が決定された番組の録画予約設定情報を送信するように制御する制御部と
を有する録画制御装置。
【請求項２】
上記決定部は、上記複数の録画装置の録画予約情報、上記複数の録画装置において登録されている登録嗜好情報、ユーザが入力した入力嗜好情報の少なくとも１つを用いてユーザの嗜好情報を決定し、当該決定された嗜好情報に基づいてお勧め番組を録画予約する番組として決定し、
上記制御部は、上記お勧め番組を上記複数の録画装置からの録画予約情報及び記録媒体の空き情報に基づいて選択された１台の録画装置に録画予約する請求項１記載の録画制御装置。
【請求項３】
上記制御部は、ユーザが上記嗜好情報を変更した場合に、上記お勧め番組を選択し直し、上記複数の録画装置に対して録画予約の変更を行う請求項２記載の録画制御装置。
【請求項４】
上記制御部は、上記複数の録画装置において同一の番組が重複して録画予約されている場合に、当該重複して録画予約されている番組を１つに統合する請求項１記載の録画制御装置。
【請求項５】
上記複数の録画装置からの各録画予約情報を表示する表示部をさらに有する請求項１記載の録画制御装置。
【請求項６】
上記受信部は、上記複数の録画装置から録画機能情報をさらに受信し、
上記制御部は、上記複数の録画装置から受信した録画予約情報、記録媒体の空き情報及び上記録画機能情報に基づいて１台の録画装置を選択する請求項１記載の録画制御装置。
【請求項７】
複数の録画装置から当該録画装置の録画予約情報及び記録媒体の空き情報を受信する受信工程と、
録画予約する番組を決定する決定工程と、
上記複数の録画装置から受信した録画予約情報及び記録媒体の空き情報に基づいて１台の録画装置を選択し、選択された録画装置に対して上記録画予約が決定された番組の録画予約設定情報を送信するように制御する制御工程と
を有する録画制御方法。
【請求項８】
複数の録画装置と、
上記複数の録画装置から当該録画装置の録画予約情報及び記録媒体の空き情報を受信する受信部と、録画予約する番組を決定する決定部と、上記複数の録画装置から受信した録画予約情報及び記録媒体の空き情報に基づいて１台の録画装置を選択し、選択された録画装置に対して上記録画予約が決定された番組の録画予約設定情報を送信するように制御する制御部とを有する録画制御装置と
を備える録画システム。
【手続補正２】
【補正対象書類名】明細書
【補正対象項目名】０００８
【補正方法】変更
【補正の内容】
【０００８】
上述の課題を解決するために、本発明に係る録画制御装置は、複数の録画装置に対して当該録画装置の録画予約情報及び記録媒体の空き情報を受信する受信部と、録画予約する番組を決定する決定部と、上記複数の録画装置から受信した録画予約情報及び記録媒体の空き情報に基づいて１台の録画装置を選択し、選択された録画装置に対して上記通信手段を介して上記録画予約が決定された番組の録画予約設定情報を送信するように制御する制御部とを有することを特徴とする。
また、上述の課題を解決するために、本発明に係る録画制御方法は、複数の録画装置から当該録画装置の録画予約情報及び記録媒体の空き情報を受信する受信工程と、録画予約する番組を決定する決定工程と、上記複数の録画装置から受信した録画予約情報及び記録媒体の空き情報に基づいて１台の録画装置を選択し、選択された録画装置に対して上記録画予約が決定された番組の録画予約設定情報を送信するように制御する制御工程とを有することを特徴とする。
【手続補正３】
【補正対象書類名】明細書
【補正対象項目名】０００９
【補正方法】変更
【補正の内容】
【０００９】
また、上述の課題を解決するために、本発明に係る録画システムは、複数の録画装置と、上記複数の録画装置に対して当該録画装置の録画予約情報及び記録媒体の空き情報を受信する受信部と、録画予約する番組を決定する決定部と、上記複数の録画装置から受信した録画予約情報及び記録媒体の空き情報に基づいて１台の録画装置を選択し、選択された録画装置に対して上記録画予約が決定された番組の録画予約設定情報を送信するように制御する制御部とを有する録画制御装置とを備えることを特徴とする。
【手続補正４】
【補正対象書類名】明細書
【補正対象項目名】００１０
【補正方法】変更
【補正の内容】
【００１０】
本発明によれば、録画制御装置が、複数の録画装置に対して当該録画装置の録画予約情報及び記録媒体の空き情報を受信する受信部と、録画予約する番組を決定する決定部と、上記複数の録画装置から受信した録画予約情報及び記録媒体の空き情報に基づいて１台の録画装置を選択し、選択された録画装置に対して上記録画予約が決定された番組の録画予約設定情報を送信するように制御する制御部とを有することにより、録画予約時刻の重複や録画装置における記録媒体の空き容量等を考慮せずに、効率的に複数の録画装置に対して複数のテレビジョン番組の録画予約を行うことが可能となる。
【手続補正５】
【補正対象書類名】明細書
【補正対象項目名】００１５
【補正方法】変更
【補正の内容】
【００１５】
図２において、ＣＰＵ１０１は、ＲＯＭ１０２に記憶されているプログラム、又は記憶部１３からＲＡＭ１０３にロードされたプログラムに従って各種の処理を実行する。ＲＡＭ１０３には、ＣＰＵ１０１が各種の処理を実行する際に必要なデータ等も適宜記憶される。入力部１４は、キーボード、マウス等からなり、ユーザの操作により録画システムで用いられる各種情報が入力される。出力部１５は、ＣＲＴ（Cathode Ray Tube）、ＬＣＤ（Liquid Crystal Display）等のディスプレイ、スピーカ等を有し、各種設定情報や音声、映像等を出力する。
【手続補正６】
【補正対象書類名】明細書
【補正対象項目名】００２３
【補正方法】変更
【補正の内容】
【００２３】
録画予約テーブルＸ１を参照すると、例えば同時録画が可能なテレビジョン番組の番組数は、ビデオレコーダ３Ａ及びＤＶＤレコーダ３Ｂでは２であり、ＤＶＤレコーダ３Ｃでは１である。また、例えば地上波アナログ放送及びＢＳアナログ放送は、２つの放送波を同時に録画することが不可能であるが、地上波ディジタル放送及びＢＳディジタル放送は、２つの放送波を同時に受信することが可能である。また、例えばビデオレコーダ３Ａ、ＤＶＤレコーダ３Ｂ、ＤＶＤレコーダ３Ｃの録画可能時間は、それぞれ７８時間、５６時間、１９時間である。また、録画予約内容３９を参照すると、例えばビデオレコーダ３Ａでは、３月１２日の１９時から１９時３０分に、地上アナログ放送８チャンネルの「７時のニュース」とＢＳディジタル放送６チャンネルの「映画Ａ」とが同時間に録画予約されている。
【手続補正７】
【補正対象書類名】明細書
【補正対象項目名】００２５
【補正方法】変更
【補正の内容】
【００２５】
また、録画システム１は、ユーザの操作内容に基づいて録画予約情報を変更することが可能である。図５は、ユーザの入力操作を録画予約情報に反映させる処理の具体例を示す図である。例えば、テレビジョン放送受信装置２０が備える入力部１４におけるユーザの入力操作により、ユーザが録画を希望するテレビジョン番組の録画予約の設定がなされた録画装置に対して録画設定情報の追加、削除、変更等の設定がなされた場合、テレビジョン放送受信装置２０における制御部１１は、このテレビジョン番組の録画予約を行う録画装置を把握し、設定内容をこの録画装置に送信して録画装置が備えるメモリに記憶されている録画予約情報にこの設定内容を反映させる。すなわち、図５に示す例では、テレビジョン放送受信装置２０におけるユーザの入力操作に基づいて録画予約テーブルＸ１が管理するビデオレコーダ３Ａの録画予約内容の内、管理領域４１ａにて管理されている３月１３日、１９時から１９時３０分に録画されるＢＳアナログ放送、７チャンネルのテレビジョン番組「ニュース」が削除された場合、ビデオレコーダ３Ａがメモリに管理して記憶している録画予約リストＡ１の管理領域４１ｂにて管理されている「ニュース」の録画予約情報をも削除される。この際、テレビジョン放送受信装置２０は、録画予約設定がなされた録画装置に対して録画予約設定がＯＫ又はＮＧであるかの応答確認を行う。これにより、テレビジョン放送受信装置２０が有する録画予約テーブルＸ１と、このテレビジョン番組の録画予約の設定がなされた録画装置が有する録画予約テーブルとの内容が一致したものとなる。また、例えば、録画予約の設定がなされた録画装置におけるユーザの入力操作により、録画設定情報の追加、削除、変更等の設定がなされた場合、この録画装置は、設定内容をこの録画装置がメモリに記憶する録画予約情報に反映させるとともに、この設定内容をテレビジョン放送受信装置２０に送信して録画予約テーブルＸ１に管理されている録画予約情報にこの設定内容を反映させる。
【手続補正８】
【補正対象書類名】明細書
【補正対象項目名】００２６
【補正方法】変更
【補正の内容】
【００２６】
また、録画システム１では、テレビジョン放送受信装置２０によってテレビジョン番組の録画予約設定がなされた録画装置において、テレビジョン番組の放送予定を管理する番組表を作成して番組表テーブルとして記憶することが可能である。この場合、テレビジョン放送受信装置２０が備える制御部１１は、例えば図６に示すように、テレビジョン番組の録画予約の設定がなされた録画装置であるビデオレコーダ３Ａが有する番組表テーブル５Ａ、ＤＶＤレコーダ３Ｂが有する番組表テーブル５Ｂ、ＤＶＤレコーダ３Ｃが有する番組表テーブル５ＣよりそれぞれＩ／Ｆ４Ａ，４Ｂ，４Ｃを介して録画予約情報を受信し、この録画予約情報と、アンテナ２１又はネットワークを介して取得したＥＰＧ信号とを用いて、地上アナログ放送、ＢＳアナログ放送、地上波ディジタル放送、ＢＳディジタル放送がそれぞれ有するチャンネル毎のテレビジョン番組を管理する統合番組表Ｙ１を作成し、統合番組表テーブルとして記憶部１３に記憶させる。そして、テレビジョン放送受信装置２０は、統合番組表Ｙ１を出力部１５が備えるディスプレイに表示させる。これにより、ユーザは、テレビジョン放送受信装置２０が表示する統合番組表Ｙ１を参照して録画を希望するテレビジョン番組を選択することにより、簡単にテレビジョン番組の録画予約を行うことが可能である。
【手続補正９】
【補正対象書類名】明細書
【補正対象項目名】００３３
【補正方法】変更
【補正の内容】
【００３３】
そして、お勧め番組録画予約リストＺ１を構成するビデオレコーダ３Ａ，ＤＶＤレコーダ３Ｂ，ＤＶＤレコーダ３Ｃそれぞれについての録画予約設定情報をお勧め録画予約情報リスト６Ａ，６Ｂ，６ＣとしてそれぞれＩ／Ｆ４Ａ，４Ｂ，４Ｃを介して、ビデオレコーダ３Ａ，ＤＶＤレコーダ３Ｂ，ＤＶＤレコーダ３Ｃに送信する。
【手続補正１０】
【補正対象書類名】明細書
【補正対象項目名】００３６
【補正方法】変更
【補正の内容】
【００３６】
また、録画システム１では、テレビジョン放送受信装置２０が、接続されている録画装置に記憶されているテレビジョン番組のタイトルを取得してタイトルリストを作成し、ユーザがこのタイトルリストを参照して選択したテレビジョン番組を再生させることが可能である。具体的には、例えば図１０に示すように、ビデオレコーダ３Ａ、ＤＶＤレコーダ３Ｂ、ＤＶＤレコーダ３Ｃは、記録媒体に録画又は再生させたテレビジョン番組のタイトルの情報を、それぞれメモリにタイトルリスト７Ａ，７Ｂ，７Ｃのテーブルを作成して記憶している。テレビジョン放送受信装置２０が備える制御部１１は、Ｉ／Ｆ４Ａ，４Ｂ，４Ｃを介してビデオレコーダ３Ａ、ＤＶＤレコーダ３Ｂ、ＤＶＤレコーダ３Ｃに記憶されているテレビジョン番組のタイトルの情報を受信し、タイトルリストＷ１のテーブルを作成して記憶部１３に記憶させる。また、制御部１１は、このタイトルリストＷ１を出力部１５が備えるディスプレイに表示させる。ユーザが入力部１４における入力操作に基づいて表示されたタイトルリストから視聴を希望するテレビジョン番組のタイトル、例えばタイトルリストＷ１の管理領域６１ａに管理されている「プロ野球」を選択すると、制御部１１は、選択されたタイトル「プロ野球」が記憶されている録画装置であるＤＶＤレコーダ３Ｂを選定し、このＤＶＤレコーダ３Ｂのメモリが備えるタイトルリストより管理領域６１ｂに管理されているテレビジョン番組「プロ野球」の情報を抽出してＩ／Ｆ４Ｂを介して受信し、テレビジョン番組「プロ野球」を再生させる。
【手続補正１１】
【補正対象書類名】明細書
【補正対象項目名】００３９
【補正方法】変更
【補正の内容】
【００３９】
また、録画システム１によれば、複数の録画装置に録画予約させるテレビジョン番組の番組表を統合的に管理することにより、テレビジョン放送受信装置２０は、録画装置が備える記録媒体の空き容量を判断して各録画装置に対してテレビジョン番組の録画予約の設定を分散させることにより、複数の録画装置が備える記録媒体の空き容量の偏りを無くすことが可能となる。
【手続補正１２】
【補正対象書類名】明細書
【補正対象項目名】００４２
【補正方法】変更
【補正の内容】
【００４２】
また、上述した実施の形態では、テレビジョン放送受信装置２０が録画予約制御機能を有するようにしたが、この録画予約制御機能は、複数の録画装置の何れか１つに搭載されるようにしてもよい。
【手続補正１３】
【補正対象書類名】明細書
【補正対象項目名】００４３
【補正方法】変更
【補正の内容】
【００４３】
また、上述した実施の形態では、アンテナ分配器２４が、アンテナ２２にて受信された放送波をテレビジョン放送受信装置２０、ビデオレコーダ３Ａ、ＤＶＤレコーダ３Ｂ、ＤＶＤレコーダ３Ｃに供給するようにしたが、アンテナ２１，２２にて受信された放送信号の各装置への供給の形態は、これに限られるものではなく、例えば、アンテナ分配器２３，２４から出力されるテレビジョン放送受信装置２０が備えるチューナが受信し、この放送信号をＩ／Ｆ４Ａ，４Ｂ，４Ｃを介してビデオレコーダ３Ａ、ＤＶＤレコーダ３Ｂ、及びＤＶＤレコーダ３Ｃに送信するようにしてもよい。
【手続補正１４】
【補正対象書類名】図面
【補正対象項目名】図５
【補正方法】変更
【補正の内容】
【図５】
2009017048.tif 000001